(57)【特許請求の範囲】
【請求項１】
ロック溝（１１）が形成された容器本体（１０）と、
前記容器本体（１０）と開閉可能にヒンジ結合され、一側に開閉ボタン（２１）が形成された容器蓋（２０）と、
前記容器本体（１０）の内部に装着され、化粧料収容空間（３１）が形成されたリフィル容器（３０）と、
前記リフィル容器（３０）の上部に結合される密閉パッキン（５０）と、
前記リフィル容器（３０）と開閉可能にヒンジ結合され、下端に密閉突起（６３）が延長形成されたリフィル容器蓋（６０）とを含み、
前記リフィル容器蓋（６０）の底面（６２）は、リフィル容器蓋（６０）を閉めて化粧料を保管するときに化粧料が蒸発又は揮発してもリフィル容器蓋（６０）が膨らまないように上方に膨らんでいるドーム状に形成され、前記リフィル容器蓋（６０）の一側には係合突起（６１）が形成され、前記係合突起（６１）はリフィル容器（３０）の一側に形成された係合フック（３３）と回動可能に締結され、
前記係合フック（３３）の内周面には係合突起（６１）の離脱を防止する離脱防止突起（３７）が形成され、
前記リフィル容器（３０）は、内壁（３４）と前記内壁（３４）の外側に一定間隔で離隔して延設された外壁（３５）とを含み、
前記密閉パッキン（５０）の側面には前記リフィル容器（３０）の前記内壁（３４）と前記外壁（３５）との間に挿入される下部延長部（５３）が延設され、
前記内壁（３４）の外周面には締結突起（３６）が形成され、前記締結突起（３６）は前記下部延長部（５３）の内周面に形成された締結溝（５４）に締結され、
前記密閉パッキン（５０）の上端に一体に形成された上部延長突輪（５１）が前記リフィル容器蓋（６０）の前記密閉突起（６３）と密着し、前記密閉パッキン（５０）の下端に一体に形成された下部延長突輪（５２）が前記リフィル容器（３０）の内壁（３４）の内周面に密着することで、前記リフィル容器（３０）の化粧料収容空間（３１）を密閉させ、
前記密閉突起（６３）は、前記リフィル容器蓋（６０）の角部の下端に延設され、前記密閉パッキン（５０）の前記上部延長突輪（５１）の内側に締まりばめされて前記リフィル容器（３０）を密閉させることを特徴とする、ドーム状のリフィル容器蓋を備えた化粧料用コンパクト容器。
【請求項２】
前記容器本体（１０）の内側には装着突起（１２）が形成され、前記装着突起（１２）はリフィル容器（３０）の外側に形成された装着溝（３２）に装着されることを特徴とする、請求項１に記載のドーム状のリフィル容器蓋を備えた化粧料用コンパクト容器。
【請求項３】
前記リフィル容器（３０）の化粧料収容空間（３１）には含浸部材（４０）が収容されることを特徴とする、請求項１に記載のドーム状のリフィル容器蓋を備えた化粧料用コンパクト容器。                                                                               
【発明の詳細な説明】
【技術分野】
【０００１】
本発明は、ドーム状のリフィル容器蓋を備えた化粧料用コンパクト容器に関し、より詳しくは、リフィル容器にリフィル容器蓋を結合し、リフィル容器蓋は上方に膨らんでいるドーム状に形成することにより、リフィル容器に収容された化粧料が蒸発してもリフィル容器蓋が膨らまないので、化粧料の蒸発する量を最大限減らし、リフィル容器蓋の下端には密閉突起を四方に形成してリフィル容器の化粧料収容空間を効果的に密閉させることにより、化粧料が外部に蒸発又は揮発することを防止して化粧料が長期間にわたって固有機能を効果的に発揮するようにし、その上、リフィル容器蓋をリフィル容器と連結するとき、リフィル容器蓋のヒンジ結合部側には係合突起を形成し、リフィル容器のヒンジ結合部側には係合フックを形成することで、ヒンジピンで連結しなくても容易に固定結合できるようにして、部品数を減らし、製造コスト及び組立工数を減らして生産量を増大させるドーム状のリフィル容器蓋を備えた化粧料用コンパクト容器に関する。
【背景技術】
【０００２】
化粧品は人体を清潔に美化して魅力を高め、顔つきを明るく変化させるか、皮膚や毛髪の健康を維持又は増進させるために人体に使われる物品で、人体に対する作用が小さいものを言う。
【０００３】
一般に、化粧品は界面活性剤のような乳化剤を用いて互いに異なる剤形の化粧料を混合して製造し、混合方法によって油相原料に水相原料を混合した油中水型と水相原料に油相原料を混合した水中油型の化粧料に区分することができる。
【０００４】
前記油中水型化粧料は油相原料に水相原料を混合したもので、油分が多くて皮膚への吸収が遅くて使用感が重いが、水中油型より持続性が高い利点があるので、持続性が必要な化粧品の場合、汗や水に対する耐水性を高めるために油中水型化粧料を使って製造する。
【０００５】
前記油中水型化粧料の使用感が重くてべたつく欠点を補完するために内容物の粘度を低めて製造したが、前記低粘度油中水型製品は流通中に容器内で長期間保管される場合、内相である水相原料と外相である油相原料が互いに分離される場合があるため、使用者が容器を振ることで分離された水相原料と油相原料を混合して使わなければならない面倒な問題点があった。
【０００６】
前記のような問題点を解決するために、図１に示すように、本出願人は、大韓民国登録実用新案第２０−０４７３５８３号のように、低粘度油中水型内容物を含浸部材に含浸させてコンパクト容器に入れた製品を開発した。
【０００７】
しかし、前記従来技術のように含浸部材４に化粧料を含浸させた化粧品は、リフィル容器蓋６でリフィル容器３を覆って化粧品を保管するときに化粧料の油分及び水分が蒸発又は揮発することによってリフィル容器蓋６が上方に膨らみ、化粧料を使うためにリフィル容器蓋６を開けば、蒸発又は揮発した内容物の気体が外部に放出され、これを繰り返して行えば化粧料が固くなって化粧料としての役目ができなくなる問題点があり、特に従来技術はリフィル容器蓋６が平たく形成されているため、化粧料の蒸発又は揮発によってリフィル容器蓋６が膨らんでもっと多い化粧料が蒸発又は揮発する問題点があった。
【０００８】
また、前記従来技術は、リフィル容器蓋６をリフィル容器３と連結するとき、ヒンジ結合によって固定することになる。この時、ヒンジピンを用いて結合することによって製造コストが上昇し、組立工数が増加して生産量が低下する問題点があった。
【発明の概要】
【発明が解決しようとする課題】
【０００９】
本発明は、前記のような問題点を解決するためになされたもので、リフィル容器にリフィル容器蓋を結合し、リフィル容器蓋は上方に膨らんでいるドーム状に形成することにより、リフィル容器に収容された化粧料が蒸発してもリフィル容器蓋が膨らまないので、化粧料が蒸発する量を最大限減らして、リフィル容器蓋の下端には密閉突起を四方に形成してリフィル容器の化粧料収容空間を効果的に密閉させることにより、化粧料が外部に蒸発又は揮発することを防止して化粧料が長期間にわたって固有機能を効果的に発揮するようにするドーム状のリフィル容器蓋を備えた化粧料用コンパクト容器を提供することに目的がある。
【００１０】
また、リフィル容器蓋をリフィル容器と連結するとき、リフィル容器蓋のヒンジ結合部側には係合突起を形成し、リフィル容器のヒンジ結合部側には係合フックを形成することで、ヒンジピンで連結しなくても容易に固定結合できるようにして、部品数を減らし、製造コスト及び組立工数を減らして生産量を増大させるドーム状のリフィル容器蓋を備えた化粧料用コンパクト容器を提供することに目的がある。
【課題を解決するための手段】
【００１１】
本発明は、ロック溝１１が形成された容器本体１０と、
前記容器本体１０と開閉可能にヒンジ結合され、一側に開閉ボタン２１が形成された容器蓋２０と、
前記容器本体１０の内部に装着され、化粧料収容空間３１が形成されたリフィル容器３０と、
前記リフィル容器３０の上部に結合される密閉パッキン５０と、
前記リフィル容器３０と開閉可能にヒンジ結合されるリフィル容器蓋６０とを含んでなり、
前記リフィル容器蓋６０の底面６２は、リフィル容器蓋６０を閉めて化粧料を保管するときに化粧料が蒸発又は揮発してもリフィル容器蓋６０が膨らまないように上方に膨らんでいるドーム状に形成されることを特徴とする、ドーム状のリフィル容器蓋を備えた化粧料用コンパクト容器を提供する。
【００１２】
また、前記容器本体１０の内側には装着突起１２が形成され、前記装着突起１２はリフィル容器３０の外側に形成された装着溝３２に装着されることを特徴とする。
【００１３】
また、前記リフィル容器３０の化粧料収容空間３１には含浸部材４０が収容されることを特徴とする。
【００１４】
また、前記リフィル容器３０は、内壁３４と前記内壁３４の外側に一定間隔で離隔して延設された外壁３５とを含んでなることを特徴とする。
【００１５】
また、前記内壁３４の外周面には締結突起３６が形成され、前記締結突起３６は密閉パッキン５０の下部内側に形成された締結溝５４に締結されることを特徴とする。
【００１６】
また、前記密閉パッキン５０の上端には上部延長突輪５１が一体に形成され、前記上部延長突輪５１はリフィル容器蓋６０の密閉突起６３と密着することを特徴とする。
【００１７】
また、前記密閉パッキン５０の下端には下部延長突輪５２が一体に形成され、前記下部延長突輪５２はリフィル容器３０の内壁３４に密着することを特徴とする。
【００１８】
また、前記リフィル容器蓋６０の一側には係合突起６１が形成され、前記係合突起６１はリフィル容器３０の一側に形成された係合フック３３と回動可能に締結されることを特徴とする。
【００１９】
また、前記係合フック３３の内周面には係合突起６１の離脱を防止する離脱防止突起３７が形成されることを特徴とする。
【００２０】
また、前記リフィル容器蓋６０の下端には密閉突起６３が一体に延設されることを特徴とする。
【発明の効果】
【００２１】
本発明によるドーム状のリフィル容器蓋を備えた化粧料用コンパクト容器は、リフィル容器にリフィル容器蓋を結合し、リフィル容器蓋は上方に膨らんでいるドーム状に形成することにより、リフィル容器に収容された化粧料が蒸発してもリフィル容器蓋が膨らまないので、化粧料が蒸発する量を最大限減らし、リフィル容器蓋の下端には密閉突起を四方に形成してリフィル容器の化粧料収容空間を効果的に密閉させることにより、化粧料が外部に蒸発又は揮発することを防止して化粧料が長期間にわたって固有機能を効果的に発揮するようにするドーム状のリフィル容器蓋を備えた化粧料用コンパクト容器を提供する効果がある。
【００２２】
また、リフィル容器蓋をリフィル容器と連結するとき、リフィル容器蓋のヒンジ結合部側には係合突起を形成し、リフィル容器のヒンジ結合部側には係合フックを形成することで、ヒンジピンで連結しなくても容易に固定結合できるようにして、部品数を減らし、製造コスト及び組立工数を減らして生産量を増大させるドーム状のリフィル容器蓋を備えた化粧料用コンパクト容器を提供する効果がある。
【図面の簡単な説明】
【００２３】
【図１】従来のコンパクト容器の断面図である。
【図２】本発明の一実施形態によるドーム状のリフィル容器蓋を備えた化粧料用コンパクト容器の蓋を開放した状態の斜視図である。
【図３】本発明の一実施形態によるドーム状のリフィル容器蓋を備えた化粧料用コンパクト容器の分解斜視図である。
【図４】本発明の一実施形態によるドーム状のリフィル容器蓋を備えた化粧料用コンパクト容器のリフィル容器蓋を開放した状態の断面図である。
【図５】図４のＡ部の拡大図である。
【図６】本発明の一実施形態によるドーム状のリフィル容器蓋を備えた化粧料用コンパクト容器のリフィル容器蓋を閉めた状態の断面図である。
【発明を実施するための形態】
【００２４】
本発明によるドーム状のリフィル容器蓋を備えた化粧料用コンパクト容器の一実施形態を添付図面に基づいて説明すれば次のようである。
【００２５】
図２は本発明の一実施形態によるドーム状のリフィル容器蓋を備えた化粧料用コンパクト容器の蓋を開放した状態の斜視図、図３は本発明の一実施形態によるドーム状のリフィル容器蓋を備えた化粧料用コンパクト容器の分解斜視図である。図４は本発明の一実施形態によるドーム状のリフィル容器蓋を備えた化粧料用コンパクト容器のリフィル容器蓋を開放した状態の断面図、図５は図４のＡ部の拡大図、図６は本発明の一実施形態によるドーム状のリフィル容器蓋を備えた化粧料用コンパクト容器のリフィル容器蓋を閉めた状態の断面図である。
【００２６】
本発明のドーム状のリフィル容器蓋を備えた化粧料用コンパクト容器は、ロック溝１１が形成された容器本体１０と、前記容器本体１０と開閉可能にヒンジ結合され、一側に開閉ボタン２１が形成された容器蓋２０と、前記容器本体１０の内部に装着され、化粧料収容空間３１が形成されたリフィル容器３０と、前記リフィル容器３０の上部に結合される密閉パッキン５０と、前記リフィル容器３０と開閉可能にヒンジ結合されるリフィル容器蓋６０とを含み、前記リフィル容器蓋６０の底面６２はリフィル容器蓋６０を閉めて化粧料を保管するときに化粧料が蒸発又は揮発してもリフィル容器蓋６０が膨らまないように上方に膨らんでいるドーム状に形成される。
【００２７】
前記容器本体１０は、内部にリフィル容器３０が収容され、一側にロック溝１１が形成され、内側に装着突起１２が形成される。
【００２８】
前記ロック溝１１と向き合う側にはヒンジが形成され、容器蓋２０とヒンジピン１３を介してヒンジ結合される。
【００２９】
前記装着突起１２はリフィル容器３０の下部外周面に形成された装着溝３２に装着されることにより、前記リフィル容器３０が容器本体１０から分離されることを防止する。
【００３０】
前記容器蓋２０は容器本体１０の上部を覆うもので、容器本体１０とヒンジ結合で連結され、前記容器本体１０を開放するか閉鎖する役目をする。
【００３１】
前記容器蓋２０は一側に開閉ボタン２１が形成され、前記開閉ボタン２１は容器本体１０のロック溝１１に対応する位置に形成される。
【００３２】
前記開閉ボタン２１は下側中央にロック突起２２が形成され、前記ロック突起２２は容器本体１０のロック溝１１に係合できるように突起状に形成される。
【００３３】
前記容器蓋２０に形成された開閉ボタン２１は、図１に示すように、従来の容器本体１において占めていた押しボタン５の収容空間を無くし、前記押しボタン５を組立てるために必要であった中間容器２を無くして容器本体１の化粧料収容空間を最大化することによって多量の化粧料を効果的に充填することができるようにして、ひんぱんな化粧料リフィルの不便さを最小化することができる利点がある。
【００３４】
前記リフィル容器３０は容器本体１０の内部に装着され、化粧料収容空間３１が形成される。
【００３５】
前記化粧料収容空間３１には化粧料が直接収容されるか、あるいは化粧料が含浸された含浸部材４０が装着されることもできる。
【００３６】
前記リフィル容器３０の下部外周面には結合溝３２が形成され、上部一側には係合フック３３が一体に形成され、内壁３４の外側に一定間隔で離隔して外壁３５が形成される。
【００３７】
前記結合溝３２は、図４に示すように、容器本体１０の内側に形成された結合突起１２と結合される。
【００３８】
前記係合フック３３はリフィル容器蓋６０の外周面一側に形成された係合突起６１と、フック・ラッチ方式で締結される。
【００３９】
前記係合フック３３の内周面には、図５に示すように、離脱防止突起３７が形成され、前記離脱防止突起３７は係合突起６１の離脱を防止する。
【００４０】
前記内壁３４の外周面には締結突起３６が形成され、前記締結突起３６は密閉パッキン５０に形成された締結溝５４と締結されることにより、前記密閉パッキン５０が分離されることを防止する。
【００４１】
前記密閉パッキン５０は内壁３４の外周面に結合され、上側には上部延長突輪５１が形成され、下側には下部延長突輪５２が形成される。
【００４２】
前記上部延長突輪５１と下部延長突輪５２は弾性ゴム素材で形成され、特に天然ゴム、エラストマー、ＮＢＲ（ａｃｒｙｌｏｎｉｔｒｉｌｅ−ｂｕｔａｄｉｅｎｅ  ｒｕｂｂｅｒ）及びシリコンゴムの１種以上の素材で形成される。
【００４３】
前記上部延長突輪５１はリフィル容器蓋６０に形成された密閉突起６３と密着し、下部延長突輪５２はリフィル容器３０の内壁３４の内周面に密着して前記リフィル容器３０の化粧料収容空間３１を密閉させることにより、化粧料が蒸発又は揮発することを防止して長期間にわたって化粧料が固有機能を発揮することができるようにする。
【００４４】
前記密閉パッキン５０は側面に下部延長部５３が延設され、前記下部延長部５３の内周面には締結溝５４が形成される。
【００４５】
前記締結溝５４はリフィル容器３０の内壁３４の外周面に形成された締結突起３６と締結されることにより、密閉パッキン５０がリフィル容器３０から分離されることを防止する。
【００４６】
前記リフィル容器蓋６０はリフィル容器３０に結合されてリフィル容器３０を開閉する役目をする。
【００４７】
前記リフィル容器蓋６０は、外周面の一側に係合突起６１が形成され、上側にはパフ７０を収容することができるドーム状の底面６２が形成され、下端に密閉突起６３が形成される。
【００４８】
前記係合突起６１はリフィル容器３０の上部一側に形成された係合フック３３とフック・ラッチ方式で締結されるので、リフィル容器蓋６０とリフィル容器３０をピンで固定せずに前記フック・ラッチ方式で締結されるようにして製造に必要な部品数を減らすことによって製造コストを節減することができる。
【００４９】
前記底面６２は上方に膨らんでいるドーム状に形成されることにより、リフィル容器３０に収容された化粧料が蒸発又は揮発してもリフィル容器蓋６０が膨らまなくなる。
【００５０】
前記密閉突起６３はリフィル容器蓋６０の角部の下端に延設され、密閉パッキン５０の上部延長突輪５１の内側に締まりばめされてリフィル容器３０を密閉させる役目をする。
【００５１】
本発明の一実施形態によるドーム状のリフィル容器蓋を備えた化粧料用コンパクト容器の組立方法及び使用状態を詳細に説明すれば次のようである。
【００５２】
本発明のドーム状のリフィル容器蓋を備えた化粧料用コンパクト容器を組立てるために、一側にロック溝１１が形成された容器本体１０に容器蓋２０をヒンジで結合する。
【００５３】
その後、前記容器本体１０にリフィル容器３０を装着し、前記リフィル容器３０の下部外周面に形成された装着溝３２には容器本体１０の内側に形成された装着突起１２を装着する。
【００５４】
前記リフィル容器３０を装着した後、リフィル容器３０の一側に形成された係合フック３３をリフィル容器蓋６０の外周面一側に形成された係合突起６１とフック・ラッチ方式で締結することによってリフィル容器蓋６０とリフィル容器３０を締結する。
【００５５】
この時、前記リフィル容器蓋６０は上方に膨らんでいるドーム状に形成されることにより、リフィル容器３０に収容された化粧料が蒸発してもリフィル容器蓋６０が膨らまないので、化粧料が蒸発する量を最大限減らすことができる。
【００５６】
前記リフィル容器３０には化粧料が直接収容されるか、あるいは化粧料が含浸された含浸部材４０が装着されることもできる。
【００５７】
そして、前記リフィル容器３０の内壁３４の外周面に、上部延長突輪５１及び下部延長突輪５２が形成された密閉パッキン５０を結合することで組立を完了する。
【００５８】
前記方法で組み立てられたドーム状のリフィル容器蓋を備えた化粧料用コンパクト容器を使うために、容器蓋２０の一側に形成された開閉ボタン２１を押して前記容器蓋２０を開放する。
【００５９】
その後、パフ７０を掴んだ後、リフィル容器蓋６０を開放してリフィル容器３０に収容された化粧料を取って使用する。
【００６０】
前記リフィル容器３０の化粧料を使った後、図６に示すように、リフィル容器蓋６０を閉めてリフィル容器３０を密閉させる。
【００６１】
この時、リフィル容器蓋６０は上方に膨らんでいるドーム状に形成されているので、リフィル容器３０に収容された化粧料が蒸発してもリフィル容器蓋６０が膨らまなくて化粧料が蒸発する量を最大限減らすことができ、前記リフィル容器蓋６０の下端には密閉突起６３を形成してリフィル容器３０の化粧料収容空間３１を効果的に密閉させることにより、化粧料が外部に蒸発又は揮発することを防止して化粧料が長期間にわたって固有機能を効果的に発揮するようにする。
【００６２】
以上、本発明で説明したものはドーム状のリフィル容器蓋を備えた化粧料用コンパクト容器を実施するための一実施形態に過ぎないもので、本発明は前記実施形態に限定されるものではない。添付の請求範囲で請求するように、本発明の要旨を逸脱しない範疇内で本発明が属する分野で通常の知識を有する者であれば誰でも多様に変更して実施可能なものまで本発明の範囲に属するものとして見なさなければならないであろう。
【符号の説明】
【００６３】
１０    容器本体
１１    ロック溝
１２    装着突起
１３    ヒンジピン
２０    容器蓋
２１    開閉ボタン
２２    ロック突起
３０    リフィル容器
３１    化粧料収容空間
３２    装着溝
３３    係合フック
３４    内壁
３５    外壁
３６    締結突起
３７    離脱防止突起
４０    含浸部材
５０    密閉パッキン
５１    上部延長突輪
５２    下部延長突輪
５３    下部延長部
５４    締結溝
６０    リフィル容器蓋
６１    係合突起
６２    底面
６３    密閉突起
７０    パフ
【図１】
0006739430.tif 000002
【図２】
0006739430.tif 000003
【図３】
0006739430.tif 000004
【図４】
0006739430.tif 000005
【図５】
0006739430.tif 000006
【図６】
0006739430.tif 000007